(57)【要約】      （修正有）【課題】定位置に常に備えておける孫の手を提供する。【解決手段】本体１１と、該本体１１の表面に取り付けられたマグネットで構成される接着部２０と、を有している。孫の手１を使用しない時は、接着部２０により、孫の手１本体１１を、冷蔵庫などのいつも定位置にある箱体（冷蔵庫の扉面）などに、くっつけておくことができるようになり、保管場所がいつも一定になって、痒みの発祥が突然起こっても、直ぐに見つけることができるようになる。【選択図】図１
0003139135.tif 000002
【実用新案登録請求の範囲】
【請求項１】
本体と、該本体の表裏面の少なくとも一方の面に取り付けられた接着部と、を有することを特徴とする孫の手。
【請求項２】
上記接着部は、マグネットであることを特徴とする請求項１記載の孫の手。
【請求項３】
上記接着部は、貼り・剥がし自在の粘着積層シートで構成されることを特徴とする請求項１記載の孫の手。
【請求項４】
上記接着部は、本体の握り部分の近傍に設けられることを特徴とする請求項１〜３のいずれか１つに記載の孫の手。
【請求項５】
上記接着部は、本体表面側に取り付けられることを特徴とする請求項１〜４のいずれか１つに記載の孫の手。
【考案の詳細な説明】
【技術分野】
【０００１】
本考案は、孫の手に関する。
【背景技術】
【０００２】
体の手の届かない部位に痒みを感じた場合には、一般に、図４に示されるような形状をした所謂「孫の手」１０が用いられ、一端のＲ状にカーブした部分１２の先端で、痒みのある部分を掻いていた。
【０００３】
また下記特許文献１は、そのような孫の手１０のＲカーブ状部分１２に磁石が取り付けられ、磁気エネルギーによる血行促進効果と、先端重量が重くなる故の按摩機効果の向上をうたっている。
【特許文献１】実用新案登録第３０６０６４３号公報
【考案の開示】
【考案が解決しようとする課題】
【０００４】
しかしながら、痒みの発祥は突然起こり、常に決まった場所に上記孫の手を備えておかないと、いざというときに見つからず、結局誰かにその部分を掻いてもらうか、一定位置で動かない柱などの角の部分で、痒み箇所を擦りつけ、自分で掻いてしまうかのどちらかしかない。
【０００５】
また、孫の手の代わりになる日常品は、物差し程度しかなく、これも、常時目につく位置に置いてあるというものでもなく、孫の手が見つからない事による、不便さが指摘されていた。
【０００６】
本考案は、以上のような問題に鑑み創案されたもので、定位置に常に備えておける孫の手を提供せんとするものである。
【課題を解決するための手段】
【０００７】
本考案に係る孫の手は、本体と、該本体の表裏面の少なくとも一方の面に取り付けられた接着部と、を有することを基本的特徴としている。
【０００８】
上記構成によれば、孫の手を使用しない時は、接着部により、孫の手本体を、たとえば、冷蔵庫などのいつも定位置にある箱体などに、くっつけておくことができるようになる。そのため、保管場所がいつも一定になって、痒みの発祥が突然起こっても、直ぐに見つけることができるようになる。また個人使用だけではなく、職場や公的な場所、或いは自動販売機などのみんなが使用する箇所に、常に孫の手があって、非常に便利になる。
【０００９】
上記の孫の手の構成において、該接着部をマグネットとすることにより、保管場所が磁着できる場所でありさえすれば、家電品など日常で良く使用される箇所に常に備え付けておくことができるようになる。
【００１０】
また同じく上記接着部として、貼り・剥がし自在の粘着積層シートを使用することで、磁着できない箇所にも、孫の手を備え付けておくことが可能となる。このような粘着積層シートとしては、たとえば、アクリル系ポリフォームシートや、その他、貼り・剥がし自在の粘着材質のシートが複数層積層された状態のものが好ましい。粘着性が弱くなってくれば、粘着性の弱くなった上面のシートを剥がして、その下のシートが持つ粘着性により、粘着性を一定に保つことができる。
【００１１】
さらに上記接着部は、本体の握り部分の近傍に設けられていると、Ｒカーブ状部分以外が体（痒み発祥部分付近）に接触することがなく、しかも、該接着部が服などに引っ掛かることもなく、孫の手を使用する時に、何ら余計な支障を来すことがない。同様なことは、上記接着部が、本体表面側に取り付けられている場合にも言える。すなわち、該接着部が、本体裏面側に取り付けられていると、孫の手で掻く際に、この接着部が体の他の箇所に接触し、Ｒカーブ状部分が痒み発祥部位に接触することができなくなるということもある。これが表側面に取り付けられていることで、そのような心配もなくなる。
【考案の効果】
【００１２】
本考案の請求項１〜５記載の孫の手によれば、使用しない時に、接着部により、孫の手本体を、いつも定位置にある箱体などに、くっつけておくことができるため、保管場所がいつも一定になって、痒みの発祥が突然起こっても、直ぐに見つけることができるようになるという優れた効果を奏し得る。
【考案を実施するための最良の形態】
【００１３】
以下、本考案の実施の形態を、次に図示する例と共に説明する。
【実施例１】
【００１４】
図１は、本考案に係る孫の手１の一実施形態構成を示す斜視図である。該孫の手１本体１１の一先端部分に、体の任意の部分を引っ掻くための上記Ｒカーブ状部分１２があり、その反対側端部に、握り部分１３がある。
【００１５】
以上の構成で、本実施形態では、上記本体１１表面側の握り部分１３の近傍に、接着部２０が固着されている。
【００１６】
上記接着部２０は、表面露出部分がシリコンコーティングされたネオジウム磁石などのマグネットで構成されている。そのため、孫の手１を使用しない時は、図２に示すように、該接着部２０を、例えば冷蔵庫の扉面３０に磁着させることで、日常において、常に目につく所に、該孫の手１を備え付けておくことが可能となり、突然背中辺りが痒くなっても、直ぐに該孫の手１を見つけることができるようになる。
【００１７】
上記構成では、上記接着部２０が、本体１１の握り部分１３の近傍に設けられているので、Ｒカーブ状部分１２以外が、人間の体の痒みのある部位に接触することがなく、しかも、該接着部２０が身体背中側の被服面などに引っ掛かることもないので、非常にスムーズに痒みのある部位を掻き上げることができるようになる。
【００１８】
また、仮に上記接着部２０が本体１１裏面側に取り付けられていると、孫の手１で掻く際に、該接着部２０が体の他の箇所に接触して、Ｒカーブ状部分１２が痒みのある部位に接触することができなくなるという虞があるが、本実施例では、上記接着部２０が本体１１表面側に取り付けられているため、そのような心配もない。
【実施例２】
【００１９】
図３は、本考案の他の実施例に係る構成を示すものであって、より詳しくは、孫の手１本体１１の握り部分１３近傍に設けられた接着部２１が、貼り・剥がし自在の粘着積層シートで構成されている。
【００２０】
このような接着部２１としては、貼り・剥がし自在の粘着積層シートを使用することで、磁着できない箇所にも、孫の手１を備え付けておくことが可能となる。このような粘着積層シートとしては、たとえば、アクリル系ポリフォームシートや、その他、貼り・剥がし自在の粘着材質のシートが複数層積層された状態のものが用いられる［たとえば、「コロコロ（株式会社ニトムズの登録商標）」で使用されているような、貼り・剥がし自在の粘着シートが積層された状態のもの］。そのような構成とすることで、粘着性が弱くなってくれば、粘着性の弱くなった上面のシートを剥がして、その下のシートが持つ粘着性により、粘着性を一定に保つことができる。
【００２１】
このように、接着部２１に、貼り・剥がし自在の粘着積層シートを使用することで、磁着できない箇所（例えばモルタルの壁など）にも、孫の手１を備え付けておくことが可能となる。
【００２２】
尚、本考案の孫の手は、上述の図示例にのみ限定されるものではなく、本考案の要旨を逸脱しない範囲内において種々変更を加え得ることは勿論である。
【図面の簡単な説明】
【００２３】
【図１】本考案に係る孫の手１の一実施形態構成を示す斜視図である。
【図２】上記実施形態構成の孫の手１が冷蔵庫の扉面３０部分に接着されている状態を示す説明図である。
【図３】本考案の他の実施形態構成に係る孫の手１を示す部分拡大図である。
【図４】孫の手１０の従来構成を示す斜視図である。
【符号の説明】
【００２４】
１、１０  孫の手
１１        本体
１２        Ｒカーブ状部分
１３        握り部分
２０、２１  接着部
３０        冷蔵庫の扉面
【図１】
0003139135.tif 000003
【図２】
0003139135.tif 000004
【図３】
0003139135.tif 000005
【図４】
0003139135.tif 000006